(57)【特許請求の範囲】
【請求項１】
時間経過に伴って供給される画像信号をリングバッファに追記しつつ前記リングバッファに記録済みの画像信号を読み取ってこれを再生するリングバッファ付き情報記録再生装置であって、
前記リングバッファ内における現時点での記録位置及び再生位置各々を示す情報を随時得る記録再生位置情報取得手段と、
表示装置の画面の全周縁領域内に記録ポジションマーク及び再生ポジションマークを夫々表示させるべきリングバッファモニタ画像信号を生成するリングバッファモニタ画像信号生成手段と、
前記全周縁領域内の表示位置と前記リングバッファの全領域内での位置とを対応づけ、前記記録ポジションマークの表示位置を前記記録位置に追従させて移動すると共に、前記再生ポジションマークの表示位置を前記再生位置に追従させて移動すべく前記リングバッファモニタ画像信号生成手段を制御する制御手段と、を有することを特徴とするリングバッファ付き情報記録再生装置。
【請求項２】
前記リングバッファから再生した前記画像信号と前記リングバッファモニタ画像信号とを合成した合成画像信号を出力する画像合成手段を更に備えたことを特徴とする請求項１記載のリングバッファ付き情報記録再生装置。
【請求項３】
前記制御手段は、前記リングバッファから再生された前記画像信号のビットレートに応じて前記再生ポジションマークの形態を変更すると共に、前記リングバッファに記録すべき前記画像信号のビットレートに応じて前記記録ポジションマークの形態を変更することを特徴とする請求項１記載のリングバッファ付き情報記録再生装置。
【請求項４】
前記制御手段は、前記リングバッファから再生された前記画像信号に基づく番組のジャンルに応じて前記再生ポジションマークの形態を変更すると共に、前記リングバッファに記録すべき前記画像信号に基づく番組のジャンルに応じて前記記録ポジションマークの形態を変更することを特徴とする請求項１記載のリングバッファ付き情報記録再生装置。
【請求項５】
前記制御手段は、前記全周縁領域上に前記リングバッファの全領域を示すリングバッファストライプを表示せしめると共に、前記リングバッファストライプ上における前記記録位置に対応した位置に前記記録ポジションマーク、前記リングバッファストライプ上における前記再生位置に対応した位置に前記再生ポジションマークを夫々重畳表示せしめるべき画像信号を前記リングバッファモニタ画像信号として生成することを特徴とする請求項１記載のリングバッファ付き情報記録再生装置。
【請求項６】
前記リングバッファストライプ上には前記リングバッファ内に記録されている前記画像信号に基づく複数の番組各々の区切りが示されていることを特徴とするを請求項５記載のリングバッファ付き情報記録再生装置。
【請求項７】
前記制御手段は、前記リングバッファ内における再生済みの部分に対応した前記リングバッファストライプ上の位置を所定形態にて表示せしめるべき前記リングバッファモニタ画像信号を生成することを特徴とする請求項５記載のリングバッファ付き情報記録再生装置。
【請求項８】
時間経過に伴って供給される画像信号をリングバッファに追記しつつ前記リングバッファに記録済みの画像信号を読み取ってこれを再生するリングバッファ付き情報記録再生装置におけるリングバッファのモニタ方法であって、
前記リングバッファ内における現時点での記録位置及び再生位置各々を示す情報を随時得る記録再生位置情報取得行程と、
表示装置の画面の全周縁領域内に記録ポジションマーク及び再生ポジションマークを夫々表示せしめるべきリングバッファモニタ画像信号を生成するリングバッファモニタ画像信号生成行程と、
前記全周縁領域内の表示位置と前記リングバッファの全領域内での位置とを対応づけ、前記記録ポジションマークの表示位置を前記記録位置に追従させて移動すると共に、前記再生ポジションマークの表示位置を前記再生位置に追従させて移動すべく制御する制御行程と、を有することを特徴とするリングバッファのモニタ方法。
【請求項９】
前記リングバッファから再生した前記画像信号と前記リングバッファモニタ画像信号とを合成した合成画像信号を得る画像合成行程と、
前記合成画像信号に基づく表示を行う表示行程と、を更に備えたことを特徴とする請求項８記載のリングバッファのモニタ方法。
【請求項１０】
前記制御行程は、前記リングバッファから再生された前記画像信号のビットレートに応じて前記再生ポジションマークの形態を変更すると共に、前記リングバッファに記録すべき前記画像信号のビットレートに応じて前記記録ポジションマークの形態を変更することを特徴とする請求項８記載のリングバッファのモニタ方法。
【請求項１１】
前記制御行程は、前記リングバッファから再生された前記画像信号に基づく番組のジャンルに応じて前記再生ポジションマークの形態を変更すると共に、前記リングバッファに記録すべき前記画像信号に基づく番組のジャンルに応じて前記記録ポジションマークの形態を変更することを特徴とする請求項８記載のリングバッファのモニタ方法。
【請求項１２】
前記制御行程は、前記全周縁領域上に前記リングバッファの全領域を示すリングバッファストライプを表示せしめると共に、前記リングバッファストライプ上における前記記録位置に対応した位置に記録ポジションマーク、前記リングバッファストライプ上における前記再生位置に対応した位置に再生ポジションマークを夫々重畳表示せしめるべき画像信号を前記リングバッファモニタ画像信号として生成することを特徴とする請求項８載のリングバッファのモニタ方法。
【請求項１３】
前記リングバッファストライプ上には前記リングバッファ内に記録されている前記画像信号に基づく複数の番組各々の区切りが示されていることを特徴とするを請求項１２記載のリングバッファのモニタ方法。
【請求項１４】
前記制御行程は、前記リングバッファ内における再生済みの部分に対応した前記リングバッファストライプ上の位置を所定形態にて表示せしめるべき前記リングバッファモニタ画像信号を生成することを特徴とする請求項１２記載のリングバッファのモニタ方法。
【発明の詳細な説明】
【０００１】
【発明の属する技術分野】
本発明は、画像信号をその領域内において循環させて記録及び再生するリングバッファを備えたリングバッファ付き情報記録再生装置に関する。
【０００２】
【背景技術】
現在、テレビション放送等によって提供される番組をビデオテープに代わりハードディスクに記録するようにしたハードディスクレコーダが着目されている。記録媒体としてハードディスクを用いれば、例えば、放送される番組を録画しつつ、録画済み番組の再生を同時に行う(以下、タイムシフト再生と称する)ことが可能となる。このようなタイムシフト再生を実現すべく、ハードディスク内にはリングバッファ領域が設けられている。
【０００３】
図１は、タイムシフト再生時における上記リングバッファ領域内での記録及び再生動作を説明する為の図である。
図１において、ライトポジションＷＰは、リングバッファ領域内での現在の記録位置を示すものであり、リードポジションＲＰは、その領域内での現在の再生位置を示すものである。これらＷＰ及びＲＰは、図１の白抜き矢印の如く夫々独立してリングバッファ領域の先頭位置から最後尾位置へ向けて徐々に移動し、最後尾に到達したら先頭位置に戻って再び最後尾位置へ向けて移動する。尚、上記ＷＰ及びＲＰ各々の移動速度は、記録又は再生対象となる放送番組を担う映像信号のビットレートに依存する。この際、再生対象となる放送番組としては、テレビジョン放送に限らず、音声のみのラジオ放送番組であっても良い。
【０００４】
すなわち、リングバッファ領域内では、その領域の先頭から最後尾までの連続した記録及び再生動作を夫々独立に、かつこの領域内において循環して実施するのである。かかる動作により、タイムシフト再生時には、テレビション放送によって提供された放送番組を上記ＷＰにて示されるリングバッファ領域内の位置に録画しつつ、上記ＲＰにて示される位置から録画済み放送番組の再生が為されるのである。
【０００５】
ここで、ディジタル放送には、高画質なＨＤＴＶ(High Definition Television)放送番組、及び標準画質のＳＤＴＶ(Standard Definition Television)放送番組の如き、互いにビットレートの異なる放送番組が混在している。従って、例えば、図１の如くライトポジションＷＰ及びリードポジションＲＰが互いに近接した状態で、ビットレートの高いＨＤＴＶ放送番組を録画しつつ、ビットレートの低いＳＤＴＶ放送番組の再生を行うと、ＷＰがＲＰを追い抜くような状態になる。ライトポジションＷＰがリードポジションＲＰを追い抜いてしまうと、これから再生しようとする上記ＳＤＴＶ放送番組の内容が、途中で上記ＨＤＴＶ放送番組の内容によって上書きされてしまう。
【０００６】
しかしながら、使用者は、タイムシフト再生時において、上述した如き状態になることを未然に知ることは出来なかった。
【０００７】
【発明が解決しようとする課題】
本発明は、かかる問題点を解決すべく為されたものであり、リングバッファの状態をリアルタイムで知ることが出来るリングバッファ付き情報記録再生装置及びリングバッファのモニタ方法を提供することを目的とする。
【０００８】
【課題を解決するための手段】
請求項１記載によるリングバッファ付き情報記録再生装置は、時間経過に伴って供給される画像信号をリングバッファに追記しつつ前記リングバッファに記録済みの画像信号を読み取ってこれを再生するリングバッファ付き情報記録再生装置であって、前記リングバッファ内における現時点での記録位置及び再生位置各々を示す情報を随時得る記録再生位置情報取得手段と、表示装置の画面の全周縁領域内に記録ポジションマーク及び再生ポジションマークを夫々表示させるべきリングバッファモニタ画像信号を生成するリングバッファモニタ画像信号生成手段と、前記全周縁領域内の表示位置と前記リングバッファの全領域内での位置とを対応づけ、前記記録ポジションマークの表示位置を前記記録位置に追従させて移動すると共に、前記再生ポジションマークの表示位置を前記再生位置に追従させて移動すべく前記リングバッファモニタ画像信号生成手段を制御する制御手段と、を有する。
【０００９】
又、請求項８記載によるリングバッファのモニタ方法は、時間経過に伴って供給される画像信号をリングバッファに追記しつつ前記リングバッファに記録済みの画像信号を読み取ってこれを再生するリングバッファ付き情報記録再生装置におけるリングバッファのモニタ方法であって、前記リングバッファ内における現時点での記録位置及び再生位置各々を示す情報を随時得る記録再生位置情報取得行程と、表示装置の画面の全周縁領域内に記録ポジションマーク及び再生ポジションマークを夫々表示せしめるべきリングバッファモニタ画像信号を生成するリングバッファモニタ画像信号生成行程と、前記全周縁領域内の表示位置と前記リングバッファの全領域内での位置とを対応づけ、前記記録ポジションマークの表示位置を前記記録位置に追従させて移動すると共に、前記再生ポジションマークの表示位置を前記再生位置に追従させて移動すべく制御する制御行程と、を有する。
【００１０】
【発明の実施の形態】
以下に本発明の実施例を図面を参照しつつ詳細に説明する。
図２は、本発明による情報記録再生装置１００の構成を示す図である。
図２において、チューナ１１は、使用者からディジタル放送のチャンネル指定操作が為された場合には、この指定されたチャンネルのディジタル放送波を受信する。この際、チューナ１１は、受信したディジタル放送波を復調することによりＭＰＥＧ(Moving Picture Experts Group)信号を得て、これをＭＰＥＧ信号Ｍ１としてハードディスク装置１２及びセレクタ１３の各々に供給する。更に、チューナ１１は、上述した如く受信したディジタル放送波から、その放送番組の名称、ジャンル(スポーツ、ニュース、映画等)、ＨＤＴＶ／ＳＤＴＶ種別各々を示す番組情報ＰＩを抽出し、これをシステム制御回路１０に供給する。又、チューナ１１は、使用者からアナログテレビジョン放送(NTSC方式、PAL方式、又はSECOM方式)のチャンネル指定操作が為された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号Ｍ２としてハードディスク装置１２に供給する。
【００１１】
ハードディスク装置１２は、システム制御回路１０から供給された記録指令信号に応じて、上記ＭＰＥＧ信号Ｍ１又はＭ２をハードディスク１２０に記録する。この際、システム制御回路１０は、図３の如きセクタ／リング領域対応マップに示されるアクセス順にてハードディスク１２０内での記録位置を指定すべきセクタを順次選択し、各セクタ内に上記ＭＰＥＧ信号Ｍ１又はＭ２を記録して行く。尚、上記セクタ／リング領域対応マップには、各セクタの、リングバッファ領域内での相対位置を示すリング領域内位置情報が、図３に示す如く各セクタに対応付けして記述されている。システム制御回路１０は、所定期間毎に、上記セクタ／リング領域対応マップから、現時点において記録の為されているセクタのリングバッファ領域内での位置を検索し、これをライトポジションＷＰとしてライトポジションレジスタ１５に上書き記憶させる。更に、システム制御回路１０は、上述した如く記録の為された番組の番組情報を取り込むと共に、この番組のハードディスク１２０内での記録位置を示すセクタ番号を検出し、両者を図４に示す如く対応付けして録画番組情報メモリ２０に追記して行く。
【００１２】
又、ハードディスク装置１２は、システム制御回路１０から供給された再生指令信号に応じて、図１に示す如くハードディスク１２０のリングバッファ領域内に記録されているＭＰＥＧ信号を再生し、これを再生ＭＰＥＧ信号ＲＭとしてセレクタ１３に供給する。この際、システム制御回路１０は、図３の如きセクタ／リング領域対応マップに示されるアクセス順にて、ハードディスク１２０内の各セクタから記録情報の再生を行い、これを上記再生ＭＰＥＧ信号ＲＭとする。この間、システム制御回路１０は、所定期間毎に、上記セクタ／リング領域対応マップから、現時点において再生の為されているセクタのリングバッファ領域内での位置を検索し、これをリードポジションＲＰとしてリードポジションレジスタ１６に上書き記憶させる。尚、リングバッファ領域については再構築可能としても良く、その領域の大きさを変えられるようにしても良い。この場合、再構築指令に応じて上記セクタ／リング領域対応マップの書き換えが為される。
【００１３】
セレクタ１３は、上記ハードディスク装置１２から供給された再生ＭＰＥＧ信号ＲＭ、及びチューナ１１から供給されたＭＰＥＧ信号Ｍ１の内から、システム制御回路１０から供給された選択信号に応じた方を択一的に選択し、これをＭＰＥＧデコーダ１７に供給する。ＭＰＥＧデコーダ１７は、セレクタ１３から供給されたＭＰＥＧ信号に対してＭＰＥＧ復号処理を施すことにより、映像データ信号を得てこれを映像データ信号ＤAVとして画像合成回路１８に供給する。
【００１４】
リングバッファモニタ画像信号生成回路１９は、システム制御回路１０から供給されたリングバッファ領域状態情報に基づき図５(ａ)に示す如きリングバッファモニタ画像を担う画像データを生成する。そして、リングバッファモニタ画像信号生成回路１９は、この画像データに基づくリングバッファモニタ画像をディスプレイ装置２００の画面２００ａの４辺に表示せしめるべきリングバッファモニタ画像信号ＲＰＧを生成し、これを画像合成回路１８に供給する。尚、図５(ａ)において、リングバッファストライプＲＳは、ハードディスク１２０のリングバッファ領域の全体を帯状に表すものである。又、記録ポジションマークＭWは、上記リングバッファ領域内での現在の記録位置を上記リングバッファストライプＲＳ上において相対的に表すものである。更に、再生ポジションマークＭRは、上記リングバッファ領域内での現在の再生位置を上記リングバッファストライプＲＳ上において相対的に表すものである。
【００１５】
画像合成回路１８は、ＭＰＥＧデコーダ１７から供給された映像データ信号ＤAVにて表される図５(ｂ)に示す如き画像Ｐと、上記リングバッファモニタ画像信号ＲＰＧにて表される図５(ａ)に示す如きリングバッファモニタ画像とを合成した合成映像信号を生成し、これをディスプレイ装置２００に供給する。
ディスプレイ装置２００は、かかる画像合成回路１８から供給された合成映像信号に応じて、図５(ｃ)に示す如く、上記映像データ信号ＤAVにて表される図５(ｂ)に示す如き画像Ｐを画面２００ａの中央部に表示する。更に、ディスプレイ装置２００は、図５(ａ)に示すリングバッファモニタ画像を、図５(ｃ)に示す如く画面２００ａの周縁部に表示する。すなわち、ディスプレイ装置２００は、チューナ１１で受信した番組、又はハードディスク装置１２から再生された番組を画面中央部に表示しつつ、リングバッファ領域内の状態をモニタするリングバッファモニタ画像を画面周縁部に表示するのである。
【００１６】
図５(ａ)に示す如きリングバッファモニタ画像を生成させるにあたり、システム制御回路１０は、所定間隔おきにライトポジションレジスタ１５及びリードポジションレジスタ１６各々に記憶されている値を取り込む。すなわち、現時点でのリングバッファ領域内での記録位置を示すライトポジションＷＰ、及びリングバッファ領域内での再生位置を示すリードポジションＲＰを取り込むのである。そして、システム制御回路１０は、上記ライトポジションＷＰ及びリードポジションＲＰの各々を上記リングバッファ領域状態情報としてリングバッファモニタ画像信号生成回路１９に供給する。これにより、リングバッファモニタ画像信号生成回路１９は、上記ＷＰに対応したリングバッファストライプＲＳ上の位置に図５(ａ)に示す如き記録ポジションマークＭW、上記ＲＰに対応したリングバッファストライプＲＳ上の位置に再生ポジションマークＭRを夫々重畳した画像データを生成する。つまり、リングバッファ領域上における現時点での記録位置に相当するリングバッファストライプＲＳ上の位置に記録ポジションマークＭW、リングバッファ領域上における現時点での再生位置に相当するリングバッファストライプＲＳ上の位置に記録ポジションマークＭWを夫々重畳表示させるのである。
【００１７】
従って、ディスプレイ装置２００によって図５(ｃ)に示す如く表示された記録ポジションマークＭWは、リングバッファ領域への番組録画速度に応じてリングバッファストライプＲＳ上を矢印に示す方向に徐々に移動する。更に、再生ポジションマークＭRは、リングバッファ領域からの番組再生速度に応じてリングバッファストライプＲＳ上を矢印に示す方向に徐々に移動するのである。
【００１８】
よって、使用者は、図５(ｃ)に示す如く画面２００ａの周縁部に表示されたリングバッファモニタ画像によって、タイムシフト再生時におけるリングバッファ領域内での現時点での記録位置及び再生位置を刻一刻と知ることが出来るようになる。
尚、かかるリングバッファモニタ画像の形態としては、図５(ａ)に示すものに限定されるものではない。
【００１９】
例えば、図６に示すように、記録ポジションマークＭWを、現時点において記録対象となっている番組がＨＤＴＶ放送番組又はＳＤＴＶ放送番組のいずれであるのかを識別し得る形態で表示させるようにしても良い。同様に、再生ポジションマークＭRを、現時点において再生対象となっている番組がＨＤＴＶ放送番組又はＳＤＴＶ放送番組のいずれであるのかを識別し得る形態で表示させるのである。この際、図６に示すように、現在、記録対象となっている番組のジャンルを示す情報を記録ポジションマークＭW内に盛り込み、再生対象となっている番組のジャンルを示す情報を再生ポジションマークＭR内に盛り込む。例えば、図６に示されている記録ポジションマークＭW及び再生ポジションマークＭRによれば、現在、ＳＤＴＶ放送によるニュース番組を再生しつつ、ＨＤＴＶ放送によるスポーツ番組を録画していることが確認できる。
【００２０】
又、リングバッファ領域内に記録されている全番組の区切りを図７に示す如く、リングバッファストライプＲＳ上において表すようにしても良い。図７に示す一例では、リングバッファ領域内に記録されている各番組を、リングバッファストライプＲＳ上においてその番組のジャンル(映画、ドラマ、スポーツ、ニュースなど)に対応した色によって区分けしている。更に、図７に示すリングバッファモニタ画像では、タイムシフト再生動作によって既に再生済みの部分を、リングバッファストライプＲＳ上において白表示にて表すようにしている。
【００２１】
図８は、図６又は図７に示されるリングバッファモニタ画像を生成すべく、システム制御回路１０が所定期間おきに実施するリングバッファ領域状態情報生成ルーチンを示す図である。
図８において、先ず、システム制御回路１０は、チューナ１１から供給された番組情報ＰＩを取り込み(ステップＳ１)、この番組情報ＰＩが、前回取得した番組情報ＰＩＱと同一であるか否かを判定する(ステップＳ２)。ステップＳ２において、番組情報ＰＩと番組情報ＰＩＱとが同一ではないと判定された場合、つまり、新しい番組に切り替わったと判定された場合、システム制御回路１０は、ライトポジションレジスタ１５に記憶されているライトポジションＷＰを取り込む(ステップＳ３)。次に、システム制御回路１０は、このライトポジションＷＰを記録開始位置とし、これを上記番組情報ＰＩと対応付けして図４に示す如く録画番組情報メモリ２０に追記する(ステップＳ４)。次に、システム制御回路１０は、図７に示す如き記録ポジションマークＭWの形態の内から、上記番組情報ＰＩ中のＨＤＴＶ／ＳＤＴＶ識別情報によって示される方を選択する。そして、この選択した方の形態を有する記録ポジションマークＭWを指定すべき記録ポジションマーク指定信号ＰＳWを内蔵レジスタ(図示せぬ)に記憶する(ステップＳ５)。次に、システム制御回路１０は、上記番組情報ＰＩを上記番組情報ＰＩＱとして上記内蔵レジスタに記憶する(ステップＳ６)。
【００２２】
かかるステップＳ６の実行後、又は、上記ステップＳ２において上記番組情報ＰＩと番組情報ＰＩＱとが同一であると判定された場合、システム制御回路１０は、図４に示す如く録画番組情報メモリ２０に記憶されている全番組の番組情報、並びに、各番組毎の記録開始位置情報を読み出す(ステップＳ７)。次に、システム制御回路１０は、これら番組毎の記録開始位置情報に基づき、リングバッファストライプＲＳ上での相対的な各番組の位置を求める。そして、図７に示す如く、リングバッファストライプＲＳ上での各番組の位置をその番組のジャンルに対応した色で表すリングストライプカラー信号ＲＳCOLを生成し、これを内蔵レジスタに記憶する(ステップＳ８)。次に、システム制御回路１０は、リードポジションレジスタ１６に記憶されているリードポジションＲＰを取り込む(ステップＳ９)。次に、システム制御回路１０は、各番組毎の記録開始位置情報に基づき、上記リードポジションＲＰで示される現在再生中の番組に対応した番組情報を検索する(ステップＳ１０)。次に、システム制御回路１０は、図７に示す如き再生ポジションマークＭRの形態の内から、現在再生中の番組に対応した番組情報中のＨＤＴＶ／ＳＤＴＶ識別情報によって示される方を選択する。そして、この選択した方の形態を有する再生ポジションマークＭRを指定すべき再生ポジションマーク指定信号ＰＳRを内蔵レジスタに記憶する(ステップＳ１１)。次に、システム制御回路１０は、リングバッファストライプＲＳ上における上記リードポジションＲＰにて示される位置及びその近傍領域を、再生済み領域を示す白表示にすべく上記リングストライプカラー信号ＲＳCOLを書き換える(ステップＳ１２)。次に、システム制御回路１０は、上記記録ポジションマーク指定信号ＰＳW、ライトポジションＷＰ、再生ポジションマーク指定信号ＰＳR、リードポジションＲＰ、及びリングストライプカラー信号ＲＳCOLを、リングバッファ領域状態情報としてリングバッファモニタ画像信号生成回路１９に供給する(ステップＳ１３)。これにより、リングバッファモニタ画像信号生成回路１９は、図７に示す如き、リングバッファストライプＲＳ上に、記録ポジションマークＭW及び再生ポジションマークＭRが重畳したリングバッファモニタ画像を画面２００ａ内の周縁部に表示させるべきリングバッファモニタ画像信号ＲＰＧを生成する。
【００２３】
すなわち、上記ステップＳ１３の実行により、リングバッファモニタ画像信号生成回路１９は、上記リングストライプカラー信号ＲＳCOLに応じた配色を有するリングバッファストライプＲＳを画面２００ａ内の周縁部に表示させる。更に、リングバッファモニタ画像信号生成回路１９は、上記記録ポジションマーク指定信号ＰＳWにて示される形態を有する記録ポジションマークＭWを、上記ライトポジションＷＰにて示される上記リングバッファストライプＲＳ上の位置に表示させる。これと同時に、リングバッファモニタ画像信号生成回路１９は、上記再生ポジションマーク指定信号ＰＳRにて示される形態を有する再生ポジションマークＭRを、上記リードポジションＲＰにて示される上記リングバッファストライプＲＳ上の位置に表示させるのである。
【００２４】
上記ステップＳ１３の実行後、システム制御回路１０は、図８に示す如きリングバッファ領域状態情報生成ルーチンを抜け、図示せぬメインルーチンの実行に戻る。
よって、上記リングバッファ領域状態情報生成ルーチンの実行によれば、使用者は、現時点において記録及び再生の為されているリングバッファ内の位置のみならず、リングバッファ内に記録されている各番組の位置関係及びジャンルを視覚的に確認することが出来るようになる。
【００２５】
【発明の効果】
以上詳述した如く、本発明によれば、録画同時再生を実施しつつリングバッファ内の状態をリアルタイムでモニタすることが可能となる。
【図面の簡単な説明】
【図１】タイムシフト再生時におけるリングバッファ領域内での記録及び再生動作を説明する為の図である。
【図２】本発明による情報記録再生装置１００の内部構成を示す図である。
【図３】セクタ／リング領域対応マップを示す図である。
【図４】録画番組情報メモリ２０に記憶される番組情報及び記録開始位置情報の一例を示す図である。
【図５】リングバッファモニタ画像の一例を示す図である。
【図６】リングバッファモニタ画像の他の一例を示す図である。
【図７】リングバッファモニタ画像の他の一例を示す図である。
【図８】リングバッファ領域状態情報生成ルーチンを示す図である。
【符号の説明】
１０  システム制御回路
１１  チューナ
１２  ハードディスク装置
１５  ライトポジションレジスタ
１６  リードポジションレジスタ
１８  画像合成回路
１９  リングバッファモニタ画像信号生成回路
２０  録画番組情報メモリ
【図１】
0004185243.tif 000002
【図２】
0004185243.tif 000003
【図３】
0004185243.tif 000004
【図４】
0004185243.tif 000005
【図５】
0004185243.tif 000006
【図６】
0004185243.tif 000007
【図７】
0004185243.tif 000008
【図８】
0004185243.tif 000009